(57)【要約】      （修正有）【課題】スマートペン、スマートペンの充電プラグ及びスマートペンと充電プラグとの接続構造を提供する。【解決手段】電子装置と充電器との接続構造は、充電プラグ１００及び電子装置を備え、充電プラグ１００は、電子装置を装着するスリーブ１１を含む。スリーブ１１には、突出した第一充電端子１３が設置されており、第一充電端子１３の一端は、充電器に電気的に接続されている。電子装置は、柱状のカバー及びそのカバーの外周面から露出した第二充電端子を備える。電子装置のカバーがスリーブ１１に挿入された時、第一充電端子１３は、第二充電端子に接触している。【選択図】図１
0003201769.tif 000002
【実用新案登録請求の範囲】
【請求項１】
突出している第一充電端子が設置されたスリーブを含む充電プラグであって、前記第一充電端子は、第一端及び第二端を含み、前記第一端は、充電器に電気的に接続されており、前記第二端は、電子装置に電気的に接続されることを特徴とする充電プラグ。
【請求項２】
前記スリーブは、前記電子装置を装着し、前記スリーブの内部には、スライドレールが設けられており、前記第一充電端子は、前記スライドレール上に設置されており、前記電子装置は、カバー及び前記カバーの外周面により露出された第二充電端子を備え、前記電子装置が前記スリーブに装設された時、前記第二充電端子は、前記スライドレールに沿ってスライドして、前記第一充電端子の前記第二端を前記第二充電端子に接触させることを特徴とする請求項１に記載の充電プラグ。
【請求項３】
前記第一充電端子は、弾性を有することを特徴とする請求項１に記載の充電プラグ。
【請求項４】
前記スリーブの内壁には、少なくとも１つの第一磁性部品が設置されており、前記電子装置には、前記第一磁性部品と協働する第二磁性部品が設置されていることを特徴とする請求項１に記載の充電プラグ。
【請求項５】
前記第一充電端子の端部は、半球状の頂部を有する突起部がそれぞれ設けられており、前記電子装置の前記第二充電端子の端部には、前記突起部の頂部に対応する窪み部が設けられていることを特徴とする請求項２に記載の充電プラグ。
【請求項６】
カバー、充電モジュール及び第二充電端子を備えるスマートペンであって、前記充電モジュールは、前記カバーの内部に設置されており、前記第二充電端子は、前記充電モジュールに電気的に接続され、且つ前記カバーの外周面から露出しており、充電プラグの第一充電端子に電気的に接続されていることを特徴とするスマートペン。
【請求項７】
前記カバーには、少なくとも１つの第二磁性部品が設置されており、前記充電プラグの第一磁性部品と協働することを特徴とする請求項６に記載のスマートペン。
【請求項８】
前記スマートペンの前記第二充電端子の端部には、前記第一充電端子の端部に設置された突起部の頂部に対応する窪み部が設けられていることを特徴とする請求項６に記載のスマートペン。
【請求項９】
充電プラグ及び電子装置を備える前記電子装置と充電器との接続構造であって、前記充電プラグは、前記電子装置を装着するスリーブを含み、前記スリーブには、突出した第一充電端子が設置されており、前記第一充電端子の一端は、前記充電器に電気的に接続されており、前記電子装置は、柱状のカバー及び前記カバーの外周面から露出した第二充電端子を備え、前記電子装置の前記カバーが前記スリーブに装設された時、前記第一充電端子は、前記第二充電端子に接触されることを特徴とする電子装置と充電器との接続構造。
【考案の詳細な説明】
【技術分野】
【０００１】
本考案は、電子装置と充電プラグとの接続構造に関し、特にスマートペンとこのスマートペンを充電するための充電プラグとの接続構造に関するものである。
【背景技術】
【０００２】
スマートライフの推進に伴って、現在様々な種類のデジタル商品が生産されている。これらのデジタル商品は、ほとんど充電が必要であるため、充電プラグを設置しなければならないが、時に、特別な形状を呈するデジタル商品に充電プラグを設置するのは困難である。例えば、円柱状を呈するスマートペンの外周面上に充電プラグを設置した際、弧状の表面から滑落しやすい。従って、接続不良を起こして充電できない。
【考案の概要】
【考案が解決しようとする課題】
【０００３】
本考案は、上記の問題点を考慮してなされたものであり、スマートペン、スマートペンの充電プラグ及びスマートペンと充電プラグとの接続構造を提供することを目的とする。
【課題を解決するための手段】
【０００４】
上記の目的を達成するために、本考案に係る充電プラグは、突出した第一充電端子が設置されたスリーブを含む。第一充電端子の第一端は、充電器に電気的に接続されており、第二端は、電子装置に電気的に接続されている。
【０００５】
また、上記の目的を達成するために、本考案に係るスマートペンは、柱状のカバー、充電モジュール及び第二充電端子を備える。充電モジュールは、カバー内に設置されている。第二充電端子は、充電モジュールに電気的に接続されており、且つカバーの外周面から露出して充電プラグの第一充電端子に電気的に接続されている。
【０００６】
また、上記の目的を達成するために、本考案に係る電子装置と充電器との接続構造は、充電プラグ及び電子装置を備える。充電プラグは、電子装置を装着するスリーブを含む。スリーブには、突出した第一充電端子が設置されており、第一充電端子の一端は、充電器に電気的に接続されている。電子装置は、柱状のカバー及びそのカバーの外周面から露出した第二充電端子を備える。電子装置のカバーが該スリーブに装設された時、第一充電端子は、第二充電端子に接触している。
【考案の効果】
【０００７】
従来の技術と比較して、本考案に係る充電接続構造は、充電プラグがスリーブ構造であるため、充電プラグの第一充電端子を、柱状電子装置の第二充電端子に緊密に接続させることができる。これにより、充電する過程において、柱状の電子装置が滑落することにより発生する接触不良を防止し、且つ第一充電端子を第二充電端子に容易に位置合わせできるため、ユーザは便利に操作できる。また、充電プラグのスリーブ構造は、充電端子を水、粉塵から保護できる。
【図面の簡単な説明】
【０００８】
【図１】本考案の実施形態に係る充電プラグの内部を示す図である。
【図２】本考案の実施形態に係る電子装置の立体斜視図である。
【図３】本考案の実施形態に係る充電接続構造の使用状態を示す立体斜視図である。
【図４】図３に示した充電接続構造のＩＶ−ＩＶ線に沿う断面図である。
【考案を実施するための形態】
【０００９】
図１に示すように、本考案に係る充電プラグ１００は、柱状電子装置の充電端子を充電器の充電端子と緊密に電気的に接続させることができる。
【００１０】
充電プラグ１００は、スリーブ１１、スリーブ１１内部に設置されたスライドレール１２及びスライドレール１２の一端に設置された第一充電端子１３を備える。
【００１１】
スリーブ１１の頂部及び側壁は、閉鎖していてもよく又は開いていてもよい。第一実施形態において、スリーブ１１の頂部及びスライドレール１２の頂部は開いている。
【００１２】
スライドレール１２の数は、第一充電端子１３の数に対応している。スライドレール１２は、スリーブ１１の底部から上部へ延在している。第一充電端子１３は、スライドレール１２のスリーブ１１の底部から離れる箇所に固定されている。本実施形態において、スライドレール１２及び第一充電端子１３の数は、それぞれ２つである。２つのスライドレール１２は、スリーブ１１の内壁に互いに平行して設置されている。
【００１３】
第一充電端子１３の第一端は、スリーブ１１の外周壁に向かって延在しており、且つ充電器（図示せず）に電気的に接続される（図４を参照）。本実施形態において、２つの第一充電端子１３の第一端は、それぞれ充電器の正極及び負極に電気的に接続される。第一充電端子１３の第二端は、電子装置２００に電気的に接続される。
【００１４】
スリーブ１１は、絶縁材料から製造され、第一充電端子１３は、導電材料から製造される。本実施形態において、スリーブ１１は、プラスチックにより製造され、第一充電端子１３は、金属材料により製造される。また、スリーブ１１と第一充電端子１３とは、一体成形されている。
【００１５】
図２〜図４に示したように、電子装置２００は、カバー２１、充電モジュール２２及び第二充電端子２３を備える。
【００１６】
カバー２１は、円柱状を呈する。カバー２１の外径が、スリーブ１１の内径よりやや小さいため、カバー２１をスリーブ１１内に収容することができる。また、他の実施形態において、カバー２１の形状がスリーブ１１の形状とマッチングすれば、必要に応じて他の形状、例えば、角柱であることもできる。
【００１７】
充電モジュール２２は、カバー２１の内部に設置されている。第二充電端子２３は、充電モジュール２２に電気的に接続され、且つカバー２１の外周面から露出している。本実施形態において、電子装置２００は、スマートペンであり、カバー２１は、該スマートペンのカバーである。第二充電端子２３の数は、２つである。この２つの第二充電端子２３は、スマートペン２００のペン先から離れる一端に位置し、且つそれぞれ充電モジュール２２の正極及び負極に電気的に接続されている。
【００１８】
カバー２１は、絶縁材料から製造され、第二充電端子２３は、導電材料から製造される。本実施形態において、カバー２１は、プラスチックにより製造され、第二充電端子２３は、金属材料により製造される。また、カバー２１と第二充電端子２３とは、一体成形されている。
【００１９】
第一充電端子１３は、弾性を有し、且つその端部には、半球状の頂部を有する突起部１３１がそれぞれ設けられている。第二充電端子２３のカバー２１の外周部から露出した端部には、該突起部１３１の頂部に対応する窪み部２３１がそれぞれ設けられている。スリーブ１１には、少なくとも１つの第一磁性部品１４が設置されている。カバー２１には、第一磁性部品１４と協働するための第二磁性部品２４が設置されている。本実施形態において、第一磁性部品１４は、２つの第一充電端子１３の中央に設置されており、第二磁性部品２４は、２つの第二充電端子２３の中央に設置されている。第一磁性部品１４は、第二磁性部品２４の磁気極性とは反対の磁気極性を有する。
【００２０】
充電プラグ１００を使用する時、充電プラグ１００のスリーブ１１を、電子装置２００のカバー２１の上方から設置する。この際、第一充電端子１３の第二端の突起部１３１が第二充電端子２３の窪み部２３１に収容されて接触するまで、第二充電端子２３をスライドレール１２に沿ってスライドさせる。これにより、第一充電端子１３の第二端を、第二充電端子２３のカバー２１の外周部から露出した端部に緊密に接触させ、電子装置２００及び充電器を電気的に接続させることができる。またこの際、第一磁性部品１４及び第二磁性部品２４は互いに吸引するため、第一充電端子１３の第二端と第二充電端子２３とは緊密に接触する。
【００２１】
本考案の充電接続構造３は、充電プラグ１００がスリーブ構造であるため、充電プラグ１００の第一充電端子１３を、柱状電子装置２００の第二充電端子２３に緊密に接続させることができる。これにより、充電する過程において、柱状の電子装置２００が滑落することにより発生する接触不良を防止し、且つ第一充電端子１３を第二充電端子２３に容易に位置合わせできるため、ユーザは便利に操作できる。また、充電プラグ１００のスリーブ構造は、充電端子を水、粉塵から保護できる。
【符号の説明】
【００２２】
３  充電接続構造
１１  スリーブ
１２  スライドレール
１３  第一充電端子
１４  第一磁性部品
２１  カバー
２２  充電モジュール
２３  第二充電端子
２４  第二磁性部品
１００  充電プラグ
１３１  突起部
２００  電子装置
２３１  窪み部
【図１】
0003201769.tif 000003
【図２】
0003201769.tif 000004
【図３】
0003201769.tif 000005
【図４】
0003201769.tif 000006